(57)【要約】  【課題】  装置の使用完了時に簡単な処理により使用時の表示内容だけでなく、他の全ての表示内容を消去させる携帯型データ処理装置を提供する。  【解決手段】  使用者指紋と既登録指紋とを判定して指紋認証を行う指紋認証部２、外来光を感知して光感知信号を出力する光感知部４、キー操作可能な操作部５、操作部５の操作によるデータ処理を行い、装置を統括制御する制御部６、データ表示をする表示部５を備え、制御部６は、光感知部４の出力光感知信号に応答して装置を動作状態に設定し、光感知信号の出力が所定レベル以下になったことを検出すると、制御部６のデータ処理機能及び表示部３のデータ表示機能を停止して装置を非動作状態に設定し、その後、光感知信号の出力が所定レベル以上になり、指紋認証部２が使用者の指紋認証を行うと、制御部６は、制御部６のデータ処理機能及び表示部３のデータ表示機能を再開して装置を動作状態に設定する。  【選択図】  図２
2005284584.tif 000002
【特許請求の範囲】
【請求項１】
少なくとも、使用者の指紋と既登録指紋との一致性を判定して使用者の指紋認証を行う指紋認証部と、外来光を感知して光感知信号を出力する光感知部と、キー操作可能な操作部と、前記操作部の操作に対応したデータ処理を行うとともに装置を統括制御する制御部と、前記制御部で処理したデータを表示する表示部とを備え、前記制御部は、前記光感知部から出力される光感知信号に応答して装置を動作状態に設定し、その光感知信号の出力が所定レベル以下になったことを検出すると、前記制御部におけるデータ処理機能及び前記表示部におけるデータ表示機能をそれぞれ停止させて装置を非動作状態に設定し、その後に、前記光感知信号の出力が所定レベル以上になり、かつ、前記指紋認証部が使用者の指紋の指紋認証を行うと、前記制御部は、前記制御部におけるデータ処理機能及び前記表示部におけるデータ表示機能を再開させて装置を動作状態に設定することを特徴とする携帯型データ処理装置。
【請求項２】
少なくとも、使用者の指紋と既登録指紋との一致性を判定して使用者の指紋認証を行う指紋認証部と、外来光を感知して光感知信号を出力する光感知部と、キー操作可能な操作部と、前記操作部の操作に対応した固定データを形成するとともに装置を統括制御する制御部と、前記制御部で形成した固定データを表示する表示部とを備え、前記制御部は、前記光感知部から出力される光感知信号に応答して装置を動作状態に設定し、その光感知信号の出力が所定レベル以下になったことを検出すると、前記表示部におけるデータ表示機能を停止させて非表示状態に設定し、その後に、前記光感知信号の出力が所定レベル以上になり、かつ、前記指紋認証部が使用者の指紋の指紋認証を行うと、前記制御部は、前記表示部におけるデータ表示機能を再開させて表示状態に設定することを特徴とする携帯型データ処理装置。
【請求項３】
前記光感知部は、外来光を受けて発電する光発電素子であることを特徴とする請求項１もしくは請求項２に記載の携帯型データ処理装置。
【請求項４】
前記携帯型データ処理装置は、端末装置のカードスロットに装着して使用されるＩＣカードであることを特徴とする請求項１乃至３のいずれかに記載の携帯型データ処理装置。
【請求項５】
前記携帯型データ処理装置は、端末装置のカードリーダライター部に接触して使用されるＩＣカードであることを特徴とする請求項１乃至３のいずれかに記載の携帯型データ処理装置。
【発明の詳細な説明】
【技術分野】
【０００１】
本発明は、ＩＣカードやキャッシュカード等に適用可能な携帯型データ処理装置に係り、特に、携帯型データ処理装置の使用時または使用後に隠蔽すべき個人情報が表示部に表示されているとき、その表示内容を第３者に盗み見されることを未然に防ぐようにした高セキュリティ機能を備えた携帯型データ処理装置に関する。
【背景技術】
【０００２】
近年、個人向けの携帯型データ処理装置として、少なくとも、指紋検出部とデータ表示部とキー操作部とを備え、端末装置のカードリーダライター部に近接させて使用するカード型データ処理装置が多く出回ってきている。この種のカード型データ処理装置は、使用時に、指紋検出部でカード使用者の指紋と装置内に予め登録してある指紋との一致性が判断され、それらの指紋が一致して使用者が正規の者であると認証されると、直ちに使用可能な状態になるもので、それによりカード型データ処理装置を用いて特定の機能を達成させることができるものである。このようなカード型データ処理装置としては、ＩＣチップが内蔵されたＩＣカードやキャッシュカード等があり、この他にも、各種の金融機関関連カードや各種の会員カード等がある。
【０００３】
このようなカード型データ処理装置は、その種類が多く、その用途に応じて種々の機能を達成することができるものである。そして、従来のカード型データ処理装置の一例を挙げれば、特開２００２−１５７５４４号に開示されているマネーカードが知られている。
【０００４】
ここで、図３は、前記特開２００２−１５７５４４号に開示されたマネーカードの外観を示す要部構成図である。
【０００５】
図３に示されるように、このマネーカード３０は、全体がカード型に構成されており、その一面に、指紋認証部３１と、表示部３２と、キー入力部３３と、残高表示ボタン３４と、引き落しボタン３５とがそれぞれ配置されており、また、マネーカード３０の内部にメモリ部３６等が設けられ、図示されていないが、端末装置のカードスロット内にあるリーダライター部との間で情報を送受信するデータ送受信部が設けられている。
【０００６】
この場合、指紋認証部３１は、マネーカード３０の作成時に使用者の指紋を予め内部メモリに登録しておくもので、マネーカード３０の使用に先立って使用者が指紋認証部３１に指の腹を当てると、その指の指紋が読み取られ、読み取った指紋と登録されている指紋との一致を判断するもので、それらの指紋が一致すると、このマネーカード３０の操作が可能になり、それらの指紋が一致しないと、このマネーカード３０の操作ができないものである。表示部３２は、使用者が指定した機能に従って得られた数値等を表示するものである。キー入力部３３は、複数のボタンキーを有しており、０乃至９の数字を入力するものである。残高表示ボタン３４は、操作することによりマネーカード３０にチャージされている金額の残高を表示部３２に表示させるものであり、引き落しボタン３５は、操作することによりマネーカード３０からの引き落し金額を設定するものである。
【０００７】
このマネーカード３０の動作を、金融機関から現金を引落してマネーカード３０にチャージする処理及びマネーカード３０のチャージ金額の使用時にその金額の払込みを行う処理を例に挙げて説明する。
【０００８】
まず、金融機関から現金を引落してマネーカード３０にチャージする処理を行う場合、使用者は、マネーカード３０にチャージする処理を行う端末装置のカードスロットに当該マネーカード３０を装着した後、マネーカード３０の指紋認証部３１に指を当てて指の指紋を読み取らせる。そして、指紋認証部３１で読み取った指紋が指紋認証部３１に登録されている指紋と一致し、かつ、キー入力部３３の操作により指定の暗証番号を入力してその暗証番号が登録されている暗証番号と一致したとき、当該端末装置が金融機関から現金を引落してマネーカード３０にチャージさせる。このとき、マネーカード３０へのチャージ金額が端末装置の表示画面等により表示されるので、チャージ金額が希望する金額に達したとき、引き落しボタン３５を操作すると、マネーカード３０へのチャージ金額が確定し、現金の引落し処理が完了する。一方、使用者の指紋が指紋認証部３１に登録されている指紋と一致しなかったり、暗証番号が登録されている暗証番号と一致しなかったりした場合、前述のようなマネーカード３０へのチャージが行われない。
【０００９】
次に、マネーカード３０のチャージ金額の使用時にその金額の払込み処理を行う場合、使用者は、マネーカード３０のチャージ金額の使用処理する端末装置のカードスロットに当該マネーカード３０を装着した後、マネーカード３０の指紋認証部３１に指を当てて指の指紋を読み取らせる。そして、指紋認証部３１で読み取った指紋が指紋認証部３１に登録されている指紋と一致したとき、当該端末装置がマネーカード３０のチャージ金額の使用処理を実行する。このときも、マネーカード３０のチャージ金額残高が端末装置の表示画面等により表示されるので、チャージ金額残高が希望する金額に達したとき、残高表示ボタン３４を操作すると、マネーカード３０のチャージ金額残高が確定し、チャージ金額の使用処理が完了する。一方、使用者の指紋が指紋認証部３１に登録されている指紋と一致しない場合、前述のようなマネーカード３０のチャージ金額の使用処理が行われない。
【００１０】
前記構成によるマネーカード３０は、指定する端末装置のカードスロットに装着し、所定の認証処理を正規に実行するだけで、マネーカード３０のチャージ金額を金融機関から調達して増やしたり、マネーカード３０のチャージ金額を使用処理に回したりすることができるもので、使用上多くの利便性を備えているものである。しかしながら、この種のマネーカード３０は、使用時に、表示部３２に使用者の現在のチャージ金額やチャージ金額残額等の個人情報が表示されるだけでなく、マネーカード３０が動作状態にある間中、使用者の現在のチャージ金額やチャージ金額残額等の個人情報の表示を要求すれば、マネーカード３０を端末装置のカードスロットから取り出した後でも、それらの個人情報を表示することが可能であるため、マネーカード３０が動作状態にある間、常時、マネーカード３０の表示内容が第３者に盗み見されたり、悪意の第３者のキー操作によりマネーカード３０の表示内容が見られたりすることがあり、このマネーカード３０のセキュリティを高めようとした場合には、マネーカード３０を使用した時以後、マネーカード３０の使用保管に格段の注意を払う必要がある。
【特許文献１】特開２００２−１５７５４４号
【発明の開示】
【発明が解決しようとする課題】
【００１１】
本発明は、このような技術的背景に鑑みてなされたもので、その目的は、携帯型データ処理装置の使用完了時に簡単な処理により使用時の表示内容だけでなく、他の全ての表示内容を消去させるようにした携帯型データ処理装置を提供することにある。
【課題を解決するための手段】
【００１２】
前記目的を達成するために、本発明による携帯型データ処理装置は、少なくとも、使用者の指紋と既登録指紋との一致性を判定して使用者の指紋認証を行う指紋認証部と、外来光を感知して光感知信号を出力する光感知部と、キー操作可能な操作部と、操作部の操作に対応したデータ処理を行うとともに装置を統括制御する制御部と、制御部で処理したデータを表示する表示部とを備え、制御部は、光感知部から出力される光感知信号に応答して装置を動作状態に設定し、その光感知信号の出力が所定レベル以下になったことを検出すると、制御部におけるデータ処理機能及び表示部におけるデータ表示機能をそれぞれ停止させて装置を非動作状態に設定し、その後に、光感知信号の出力が所定レベル以上になり、かつ、指紋認証部が使用者の指紋認証を行うと、制御部は、制御部におけるデータ処理機能及び表示部におけるデータ表示機能を再開させて装置を動作状態に設定する第１の手段を具備している。
【００１３】
また、前記目的を達成するために、本発明による携帯型データ処理装置は、少なくとも、使用者の指紋と既登録指紋との一致性を判定して使用者の指紋認証を行う指紋認証部と、外来光を感知して光感知信号を出力する光感知部と、キー操作可能な操作部と、操作部の操作に対応した固定データを形成するとともに装置を統括制御する制御部と、制御部で形成した固定データを表示する表示部とを備え、制御部は、光感知部から出力される光感知信号に応答して装置を動作状態に設定し、その光感知信号の出力が所定レベル以下になったことを検出すると、表示部におけるデータ表示機能を停止させた非表示状態に設定し、その後に、光感知信号の出力が所定レベル以上になり、かつ、指紋認証部が使用者の指紋認証を行うと、制御部は、表示部におけるデータ表示機能を再開させて表示状態に設定する第２の手段を具備している。
【発明の効果】
【００１４】
前記第１の手段に対応した請求項１に記載の発明によれば、携帯型データ処理装置の電源を、外来光を感知する光感知部から出力される光感知信号を利用し、その出力レベルが所定レベルを超えているか否かによって携帯型データ処理装置を動作状態または非動作状態に設定するようにしているもので、携帯型データ処理装置の使用時には光感知信号の出力レベルが高いので、携帯型データ処理装置が動作状態になり、それにより所定のデータ処理機能及びデータ表示機能を達成することができるが、携帯型データ処理装置の使用を終了させ、携帯型データ処理装置をポケット等の暗所に収納した場合、感知される外来光が減少して光感知信号が所定レベル以下に低下し、携帯型データ処理装置が非動作状態になって所定のデータ処理機能及びデータ表示機能が停止するため、表示部に表示されている個人情報が直ちに消去されるだけでなく、以後、いずれの機能キーを操作してもその操作が無効になって何の表示も行われなくなり、それにより高いセキュリティ機能を備えた携帯型データ処理装置を得ることできるという効果がある。
【００１５】
また、第２の手段に対応した請求項２に記載の発明によれば、携帯型データ処理装置の電源を、外来光を感知する光感知部からの出力光感知信号を用い、その出力レベルが所定レベルを超えているか否かによって携帯型データ処理装置を表示可能状態または表示不能状態に設定するようにしているもので、携帯型データ処理装置の使用時には光感知信号の出力レベルが高いので、携帯型データ処理装置が表示可能状態になり、それにより所定のデータ表示機能を達成することができるが、携帯型データ処理装置の使用を終了させ、携帯型データ処理装置をポケット等の暗所に収納した場合、感知される外来光が減少して光感知信号が所定レベル以下に低下し、携帯型データ処理装置が表示不能状態になるため、表示部に表示されている個人情報が直ちに消去されるだけでなく、以後、いずれの機能キーを操作してもその機能キーの操作に対応した表示を始めとしたあらゆる表示が行われなくなり、それにより高いセキュリティ機能を備えた携帯型データ処理装置を得ることができるという効果がある。
【発明を実施するための最良の形態】
【００１６】
以下、本発明の実施の形態を図面を参照して説明する。
【００１７】
図１は、本発明による携帯型データ処理装置の実施の形態の一例を示す外観図であり、図２は、図１に図示された携帯型データ処理装置の構成の一例を示すブロック図であって、携帯型データ処理装置がＩＣカードである例を示すものである。
【００１８】
図１に示されるように、この実施の形態によるＩＣカード１は、全体がカード型に構成されているもので、その一面に、指紋検知を行う指紋認証部２と、プラスチックＬＣＤからなり、数桁の数字表示等が行われる表示部３と、複数個の色素増感太陽電池からなる光感知部４と、数字等をキー入力することが可能な操作部５とがそれぞれ配置されている。
【００１９】
また、図２に示されるように、この実施の形態によるＩＣカード１は、前述の指紋認証部２と、表示部３と、光感知部４と、操作部５との他に、制御部６と、メモリ７と、情報通信部８とを備えている。
【００２０】
この場合、制御部６は、指紋認証部２、表示部３、光感知部４、操作部５、メモリ７、情報通信部８にそれぞれ接続されており、指紋認証部２、表示部３、光感知部４、操作部５、制御部６、メモリ７、情報通信部８のそれぞれは、ＩＣカード１の一面に配置されている露出部材を除いてＩＣ化されている。
【００２１】
そして、指紋認証部２は、ＩＣカード１の作成時または初期使用時等に使用者の指紋を予め指紋認証部２の内部メモリに指紋登録しておくものである。表示部３は、制御部６で形成した表示用データ、特に、各種の金額や番号等を数字列として表示させるものである。光感知部４は、外来光を感知してその光感知量に対応したレベルの光出力信号（発電信号）を発生するもので、光感知部４から出力された光出力信号はＩＣカード１の電源として利用される。操作部５は、操作するキーの種別に対応して各種の機能を達成することができるキー操作部を備えている。制御部６は、後述するように、ＩＣカード１の各部の動作を統括制御するものである。メモリ７は、制御部６において処理した各種のデータを一時的または一定期間保管する部所で、ＩＣカード１が動作する時にその動作に対応してその記憶内容が適宜変更される。情報通信部８は、ＩＣカード１をカード処理装置（図示なし）のカード処理部（同じく図示なし）に装着または接触したときに、当該カード処理装置とＩＣカード１との間で指定された内容の情報通信を行う部所で、無線または有線によって各種データを相互伝送するものである。
【００２２】
前記構成を備えたこの実施の形態によるＩＣカード１の動作を、ＩＣカード１のチャージ金額を使用する時に、その使用金額の引き去り処理を行うときの動作例、すなわち、使用者が自己のＩＣカード１を用いて商品等を購入し、それによりＩＣカード１のメモリ７に記憶されているチャージ金額からその購入金額に見合った金額の引き去り処理を行うときの動作例に基づいて説明する。
【００２３】
使用者は、商品等を購入したとき、その商品等に添付され、その商品の商品名及びその売買金額等を表示しているラベルを指定された端末装置のラベルリーダー部で読み取らせる。また、使用者は、自己のＩＣカード１を指定された端末装置のカードスロットに装着し、かつ、その装着の前後にＩＣカード１の指紋認証部２に自己の指を当てて指の指紋を読み取らせる。このとき、ＩＣカード１の指紋認証部２は、制御部６の制御により、指紋を読み取ると、その読み取り指紋と指紋認証部２に登録されている指紋とを比較し、それらの指紋が一致したことを認定すると、当該端末装置を用いてＩＣカード１のメモリ７に記憶されているチャージ金額の引き去り処理の実行を可能にする。一方、読み取り指紋と登録指紋とが一致しないと認定したときは、ＩＣカード１の使用者が登録されている使用者と異なる者であることから、以後、このＩＣカード１を用いてメモリ７に記憶されているチャージ金額の引き去り処理を実行することができない。
【００２４】
ＩＣカード１におけるチャージ金額の引き去り処理の実行が可能になると、端末装置の表示面に、今回の商品購入に伴うＩＣカード１からの引き去り金額及び今回の商品購入により減ったＩＣカード１のチャージ金額の残高が端末装置に表示される。このとき、使用者は、端末装置の表示面に表示された引き去り金額やチャージ金額の残高が正規の金額であったとき、キー操作部５の中の引き去り処理確定キーを操作すると、ＩＣカード１からの引き去り金額及びチャージ金額の残高が確定し、ＩＣカード１におけるチャージ金額の引き去り処理が完了する。
【００２５】
このようなＩＣカード１からの引き去り処理が完了すると、使用者は、ＩＣカード１を端末装置のカードスロットから取り外し、そのＩＣカード１を予め決めてあるカード収納部に収納保管する。一般に、ＩＣカード１を収納保管するカード収納部としては、ＩＣカード１を収納できるカードホルダー、ＩＣカード１を収納できる財布のカードホルダー部、場合によっては、自己の服のポケット内部等であって、ＩＣカード１をこれらのいずれかのカード収納部に収納すると、ＩＣカード１の光感知部４に外来光が全く当たらない状態または僅かに当たる状態になり、光感知部４から出力される光感知信号のレベルが電源として利用可能な所定レベル以下に低下し、ＩＣカード１への電源供給が停止してＩＣカード１が非動作状態になり、制御部６における制御動作が行われず、同時に表示部３における何等のデータ表示も行われない。
【００２６】
ところで、ＩＣカード１からの引き去り処理が完了し、ＩＣカード１を端末装置のカードスロットから取り外した後でも、一定期間内であればＩＣカード１が動作状態にあるので、操作部５の指定されたいずれかのキーの操作等により、その表示部３に当該ＩＣカード１のチャージ金額の残高や当月中の使用金額等の個人情報を表示させることができる。表示部３にこれらの個人情報が表示された場合、表示される個人情報は、その個人情報の表示変更処理を行うまで表示が持続されているので、ＩＣカード１の保管状態の如何によっては、その個人情報の表示内容を第３者に簡単に見られてしまうことがあり、この点からＩＣカード１を収納保管する状態をかなり厳格にする必要がある。
【００２７】
この点に鑑みて、本発明の実施の形態によるＩＣカード１は、前述のように、ＩＣカード１を通常収納保管しているカード収納部、すなわち、カードホルダー、財布のカードホルダー部、ポケット内部等に収納すると、光感知部４への外来光の入射が必然的に絶たれ、ＩＣカード１への電源供給が停止してＩＣカード１が非動作状態になるので、表示部３に個人情報が表示されていても、その表示内容が直ちに消去され、また、ＩＣカード１への電源供給が一旦停止して、ＩＣカード１が非動作状態になると、悪意のある第３者が操作部５のキー操作をしても、そのキー操作に対応した個人情報を何等表示させることができないものであり、ＩＣカード１を高いセキュリティ機能を備えたものにすることできる。
【００２８】
この後、使用者がＩＣカード１をカード収納部から取り出すと、ＩＣカード１の光感知部４に外来光が入射するようになり、光感知部４から所定レベル以上の光感知信号が出力されるので、ＩＣカード１への電源供給が再開される。このとき、使用者がＩＣカード１の指紋認証部２に自己の指を当てて指の指紋を読み取らせると、指紋認証部２は、読み取った指紋と既登録されている指紋とを比較し、それらの指紋が一致したことを認定すると、ＩＣカード１が動作状態に設定され、操作部５のいずれかのキーを操作をすると、そのキーの機能に対応した個人情報、例えばチャージ金額の残高や当月中の使用金額等を表示部３に表示させることが可能になる。
【００２９】
前記実施の形態においては、ＩＣカード１を指定された端末装置にセットして使用するとき、ＩＣカード１の構成を、カードスロットに装着して使用できる構成（以下、これを前者の構成という）にした例を挙げて説明したが、ＩＣカード１をカードスロットに装着して使用する代わりに、ＩＣカード１の構成を、カードリーダライター部に接触して使用できる構成（以下、これを後者の構成という）にすることもできる。
【００３０】
この場合、前者の構成のＩＣカード１と、後者の構成のＩＣカード１との違いは、前者の構成のＩＣカード１がカードスロットとの装着部に近接した箇所に有線状態で端末装置との間で情報の送受信が行われる情報通信部８を設けているのに対し、後者の構成のＩＣカード１がカードリーダライター部に近接した箇所に無線状態で端末装置との間で情報の送受信が行われる情報通信部８を設けている点に相違があるだけで、それぞれのＩＣカード１における情報通信部８が果たす機能には変わりがなく、前者の構成のＩＣカード１と後者の構成のＩＣカード１とは、その動作について変わりがない。
【００３１】
また、前記実施の形態においては、ＩＣカード１をカード収納部に収納保管したとき、ＩＣカード１の制御部６における制御機能及び表示部３における表示機能をそれぞれ停止させ、ＩＣカード１を非動作状態に設定している例について説明したが、他の実施の形態として、ＩＣカード１をカード収納部に収納保管したとき、制御部６における制御機能を停止させずに表示部３における表示機能だけを停止させる表示不能状態に設定するようにしてもよい。この場合、光感知信号の出力レベルが低下した後の制御部６の電源としては、内蔵電池の残留電力等が使用される。
【００３２】
かかる他の実施の形態によるＩＣカード１においても、ＩＣカード１の不使用時に表示部３における全ての表示内容が消去されるので、前述の実施の形態によるＩＣカード１と同様の作用効果を達成することができる。
【００３３】
さらに、前記実施の形態においては、光感知部４に太陽電池を使用しているので、光感知部４から出力される光感知信号を直接電源として利用することが可能である。しかるに、他の実施の形態として、光感知部４を光センサによって構成し、光センサからの光感知信号のレベルに応じて内蔵電源の出力状態を調整するように変更することも可能である。
【００３４】
また、前記各実施の形態においては、携帯型データ処理装置がＩＣカード１である例を挙げて説明したが、本発明による携帯型データ処理装置は、ＩＣカード１である場合に限られるものではなく、同じような機能を果たす携帯型データ処理装置、例えば、ＩＣチップが内蔵されたキャッシュカードやマネーカードであってもよく、この他にも、ＩＣチップが内蔵された各種の金融機関関連カードであってもよい。
【００３５】
さらに、前記実施の形態においては、ＩＣカード１の動作例として、チャージ金額から商品購入金額に見合った金額の引き去り処理を行うときの動作例を挙げて説明したが、ＩＣカード１の動作は、前述の動作例が実行されるだけでなく、メモリ７に格納されているチャージ金額を指定金融機関からの送金によって増やしたり、メモリ７に格納されているチャージ金額の中の一部を現金に変換する等、この種の携帯型データ処理装置で行うことができるよく知られたいくつかの機能を併せて実行することができる。
【図面の簡単な説明】
【００３６】
【図１】本発明による携帯型データ処理装置の実施の形態の一例を示す外観図である。
【図２】図１に図示された携帯型データ処理装置の構成の一例を示すブロック図である。
【図３】既知の携帯型データ処理装置の一種であるマネーカードの外観を示す要部構成図である。
【符号の説明】
【００３７】
１  ＩＣカード
２  指紋検知部
３  表示部
４  光検知部
５  操作部
６  制御部
７  メモリ
８  情報通信部
【図１】
2005284584.tif 000003
【図２】
2005284584.tif 000004
【図３】
2005284584.tif 000005